(57)【要約】【課題】原画像及び合成画像の見やすい表示が可能な携帯用合成画像装置を提供する。【解決手段】モードキー３６からは、第１ディスプレイ３０Ａ、第２ディスプレイ２２に表示される画像を再生原画像とする再生モードとするか、撮影対象画像とする撮影モードとするか、第１ディスプレイ３０Ａ及び第２ディスプレイ２２に表示された画像の合成画像とする合成画像モードとするか、の指示を入力可能とされている。モードキー３６から合成画像モードの指示が入力されると、画像合成処理が行われ、第２ディスプレイ２２に合成画像が表示される。【選択図】  図１
2005012459.tif 000002
【特許請求の範囲】
【請求項１】
画像データに基づいて画像を原画像として表示可能な第１ディスプレイと、
前記第１ディスプレイに表示される原画像を使用して合成画像を作成する合成画像作成手段と、
前記合成画像作成手段により作成された合成画像を表示可能な第２ディスプレイと、
を備えた携帯用画像合成装置。
【請求項２】
請求項１の携帯用画像合成装置であって、
携帯用画像合成装置本体を更に備え、
前記第１ディスプレイ及び第２ディスプレイの少なくとも一方は、前記携帯用画像合成装置本体への収納位置と、この収納位置への収納状態時よりも前記第１ディスプレイ及び第２ディスプレイを合わせた表示面積が広くなる表示面積拡大位置と、の間を移動可能とされていることを特徴とする、請求項１に記載の携帯用画像合成装置。
【請求項３】
撮像対象を撮像可能な撮像手段、を更に備えたことを特徴とする請求項１または請求項２に記載の携帯用画像合成装置。
【発明の詳細な説明】
【０００１】
【発明の属する技術分野】
本発明は、複数の画像の合成を行うことの可能な携帯用画像合成装置に関する。
【０００２】
【従来の技術】
従来より、デジタルカメラ、デジタルビデオカメラ、携帯電話などの携帯機器には、複数の画像を合成する機能を備えたものがある。合成画像を作成する場合、ユーザーは、合成前の原画像、及び合成後の合成画像の双方をディスプレイに表示させておきたいが、例えば、特許文献１、２に記載された技術では、１つのディスプレイを２分割して２画面を構成し、一の画面に合成前の原画像を表示すると共に、他の画面に合成後の合成画像を表示させているので、分割後の１画面が小さくなる。特に、携帯機器では、機器本体のサイズが比較的小型であるため、ディスプレイのサイズにも限界があり、上記のように分割された後の画面は、非常に見づらくなってしまう。
【０００３】
【特許文献１】
特開平５−２５２４４０号公報
【特許文献２】
特開平８−２８９２０３号公報
【０００４】
【発明が解決しようとする課題】
本発明は、上記事実を考慮して成されたものであり、原画像及び合成画像の見やすい表示が可能な携帯用合成画像装置を提供することを目的とする。
【０００５】
【課題を解決するための手段】
上記目的を達成するために、請求項１に記載の携帯用画像合成装置は、画像データに基づいて画像を原画像として表示可能な第１ディスプレイと、前記第１ディスプレイに表示された原画像を使用して合成画像を作成する合成画像作成手段と、前記合成画像作成手段により作成された合成画像を表示可能な第２ディスプレイと、を含んで構成されている。
【０００６】
上記構成の携帯用画像合成装置によれば、第１ディスプレイに原画像が表示され、第２ディスプレイに合成画像が表示される。したがって、１つのディスプレイを分割して表示する場合と比較して、表示される画像は大きくなり、原画像及び合成画像を見やすい表示とすることができる。
【０００７】
なお、本発明の携帯用画像表示装置は、請求項２に記載のように、請求項１の携帯用画像合成装置であって、携帯用画像合成装置本体を更に備え、前記第１ディスプレイ及び第２ディスプレイの少なくとも一方が、前記携帯用画像合成装置本体への収納位置と、この収納位置への収納状態時よりも前記第１ディスプレイ及び第２ディスプレイを合わせた表示面積が広くなる表示面積拡大位置と、の間を移動可能とされていることを特徴とすることもできる。
【０００８】
ここで、携帯用画像合成装置本体への収納位置とは、第１ディスプレイ、第２ディスプレイを、携帯用画像合成装置本体に沿った位置に折り畳んだり、携帯用画像合成装置本体の内部に入れ込んだりして、携帯用画像合成装置の形状がコンパクトになる位置をいう。また、表示面積拡大位置とは、第１ディスプレイ、第２ディスプレイを折り畳んだ状態から広げたり、携帯用画像合成装置本体の内部に入れ込んであったものを外側へ出したりすることで、ユーザーによる視認可能な画像の表示面積が収納位置に収納されていたときよりも拡大される位置をいう。
【０００９】
上記携帯用画像合成装置によれば、第１ディスプレイ及び第２ディスプレイの少なくとも一方を収納位置へ移動させることにより、携帯用画像合成装置をコンパクト化することができ、持ち運びに便利である。また、第１ディスプレイ及び第２ディスプレイの少なくとも一方を表示面積拡大位置へ移動させることにより、視認可能な画像の表示面積が広くなるので、画像を見やすくすることができる。
【００１０】
また、本発明の携帯用画像表示装置は、請求項３に記載のように、撮像対象を撮像可能な撮像手段、を更に備えれば、撮像可能となり、カメラとして使用することもできる。
【００１１】
【発明の実施の形態】
以下、図面を参照して、本発明に係る携帯用画像表示装置の実施形態について説明する。本発明の携帯用画像表示装置は、デジタルカメラ、デジタルビデオカメラ、携帯電話、パーソナルコンピュータなどの、ディスプレイを備える携帯用の電子機器に適用可能であるが、本実施形態では、デジタルカメラに適用した例について説明する。
【００１２】
本実施形態のデジタルカメラ１０は、図１に示すように、デジタルカメラ本体１２及び第１表示部材３０を備える。
【００１３】
デジタルカメラ本体１２は、上面に、シャッタ操作を行うためのシャッタボタン１４を備え、背面に、撮影対象を確認するためのファインダ１６、電源のオン・オフを行うための電源ボタン１８、各種の操作を入力するための入力ボタン２０、及び画像を表示可能な第２ディスプレイ２２を備える。また、図示は省略するが、前面に撮像用レンズを備える。
【００１４】
第１表示部材３０は、長方形板状であり、一の板面に第１ディスプレイ３０Ａを備える。また、第１表示部材３０は、側面に接続部材３２を備え、接続部材３２を介して介してデジタルカメラ本体１２に接続されている。接続部材３２は、いわゆるヒンジで構成されており、第１表示部材３０は、接続部材３２を中心に回動可能とされている。これにより、第１表示部材３０は、図２に実線示すように、デジタルカメラ本体１２の背面側に収納される収納位置Ｓ１と、一点鎖線で示すように、デジタルカメラ本体１２の背面と第１ディスプレイ３０Ａとが平行に配置された使用位置Ｓ２との間を移動可能とされている。
【００１５】
図１に示すように、第１表示部材３０の第１ディスプレイ３０Ａは、操作キー３４、モードキー３６、ＯＫキー３８、キャンセルキー４０、及び、画像データに基づく各種の画像を表示可能とされている。前記の各キーからは、各種の指示を入力することができ、第１ディスプレイ３０Ａは、いわゆるタッチパネルとして機能する。なお、各キーへの指示入力は、表示された部分に触れる（タッチする）ことにより可能であるが、この入力の際には、タッチペン４６を用いると便利である。
【００１６】
操作キー３４からは、再生原画像の選択、その他の指示が入力可能とされている。モードキー３６からは、第１ディスプレイ３０Ａ、第２ディスプレイ２２に表示される画像を再生原画像とする再生モードとするか、撮影対象画像とする撮影モードとするか、第１ディスプレイ３０Ａ及び第２ディスプレイ２２に表示された画像の合成画像とする合成画像モードとするか、の指示を入力可能とされている。ＯＫキー３８、キャンセルキー４０からは、各々、画面に表示された指示内容でＯＫか、そうでないかの最終決定を入力可能とされている。なお、再生原画像とは、合成画像を作成する元の画像をいい、撮影対象画像とは、撮影対象の画像を取り込んで表示した画像をいう。
【００１７】
第１表示部材３０が収納位置Ｓ１に収納されている状態では、第２ディスプレイ２２は第１表示部材３０に覆われ、また、第１ディスプレイ３０Ａもデジタルカメラ本体１２に覆われて視認不能とされている。したがって、１ディスプレイ３０と第２ディスプレイ２２とで表示され、視認可能とされる面積の和は、第１表示部材３０が収納位置Ｓ１に収納されている時よりも使用位置Ｓ２に位置している時の方が広くなっている。これにより、第１表示部材３０が収納位置Ｓ１に収納されている時には、第１ディスプレイ３０Ａ及び第２ディスプレイ２２は視認不能とされてはいるが、デジタルカメラ１０はコンパクト化される。一方、第１表示部材３０が使用位置Ｓ２に位置している時には、第１ディスプレイ３０Ａ及び第２ディスプレイ２２で表示され、視認可能とされる面積の和が広くなり、表示される画像を見やすくすることができる。
【００１８】
図３に本実施形態の制御系の概略ブロック図を示す。デジタルカメラ本体１２の内部には、ＣＰＵ４０、ＣＣＤ４２、メモリ４４が備えられている。ＣＰＵ４０は、第１ディスプレイ３０Ａ、第２ディスプレイ２２、シャッタボタン１４、電源ボタン１８、入力ボタン２０、ＣＣＤ４２、メモリ４４と接続されており、各種信号の処理、デジタルカメラ１０の各部の制御などを実行可能とされている。ＣＣＤ４２は、外部からの光を受光すると共に、受光した光を光電変換し、画像データとしてＣＰＵ４０へ出力可能とされている。メモリ４４は、撮影された画像データや、テンプレート画像の画像データなどの画像データを記録可能とされている。
【００１９】
次に、本実施形態の作用について説明する。
【００２０】
デジタルカメラ１０を使用する際には、図２に示すように、第１表示部材３０を使用位置Ｓ２に移動させ、電源ボタン１８から電源をオンする。電源がオンされると、ＣＣＤ４２は、図示しないレンズから入力される撮像対象からの光を所定のフレームレートで光電変換し、画像データとしてＣＰＵ４０へ出力する。ＣＰＵ４０は、入力された画像データに所定の処理を施して、第２ディスプレイ２２へ出力する。これにより、第２ディスプレイ２２に、所定のフレームレートで撮像対象の画像が表示される。また、第１ディスプレイ３０Ａには、直前にメモリ４４に記録された画像データに基づく画像が表示される。なお、第１ディスプレイ３０Ａには、画像の表示を行わず、所定の操作キーのみを表示させ、タッチパネルとして使用することもできる。
【００２１】
ユーザーは、選択切換キー３４を操作して、使用する再生原画像をメモリ４４に記録された画像データの中から選択し、第１ディスプレイ３０Ａに表示させる。この再生原画像は、撮影後にメモリ４４に記録しておいた画像データに基づくものであってもよいし、テンプレートとしてメモリ４４に記録しておいた画像データに基づくものであってもよい。
【００２２】
ユーザーにより、モードキー３６から合成画像モードの指示が入力されると、図４に示す画像合成処理が行われる。
【００２３】
ステップＳ１０で、ＣＣＤ４２からの画像データを受信し、ステップＳ１２で、第１ディスプレイ３０Ａに表示されている画像の画像データをメモリ４４から取り込む。ステップＳ１４で、前述の２つの画像データを合成し、ステップＳ１６で、合成された画像データを第２ディスプレイ２２へ出力して、本処理を終了する。本処理により、第２ディスプレイに２２は合成された画像データに基づいて、合成画像が表示される。図１では、再生原画像としての山の画像が第１ディスプレイ３０Ａに表示され、この山の画像と撮像対象として人物画像とが合成された合成画像が第２ディスプレイ２２に表示されている。
【００２４】
表示されている合成画像は、シャッタボタン１４を押下することにより、メモリ４４に記録される。
【００２５】
本実施形態のデジタルカメラ１０によれば、第１ディスプレイ２２に再生原画像が表示され、第２ディスプレイ２２に合成画像が表示されるので、１つのディスプレイを分割して表示する場合と比較して、表示される再生原画像及び合成画像は大きくなり、見やすい表示とすることができる。また、第１ディスプレイ３０Ａを収納位置Ｓ１へ移動させることにより、デジタルカメラ１０をコンパクト化することができ、持ち運びに便利なものとすることができる。
【００２６】
なお、本実施形態では、第１ディスプレイ３０Ａに再生原画像を表示させ、第２ディスプレイ２２に合成画像を表示させたが、第１ディスプレイ３０Ａに合成画像を表示させ、第２ディスプレイ２２に再生原画像を表示させてもよい。
【００２７】
また、デジタルカメラ１０からのダイレクトプリントを可能とするために、専用の端子が設けられていれば、便利である。
【００２８】
また、本実施形態では、第１ディスプレイ３０Ａを収納位置Ｓ１に収納した例について説明したが、第１ディスプレイ３０Ａをデジタルカメラ本体１２の内部に収納することもできる。
【００２９】
例えば、図５に示すデジタルカメラ５０では、第１ディスプレイ５４は、デジタルカメラ本体５２の内部の収納位置Ｓ３への収納、及び第１ディスプレイ５４が横方向に引き出されて、第１ディスプレイ３０Ａが完全に表出される使用位置Ｓ４への引き出しが可能とされている。なお、第１ディスプレイ５４には、引き出す際に、ユーザーが指を掛けることの可能な凸状の指掛け５６を設けることができる。
【００３０】
このように、第１ディスプレイ５４をデジタルカメラ本体５２の内部へ収納することにより、デジタルカメラ５０をよりコンパクト化することができる。
【００３１】
なお、第１ディスプレイ５４の引き出し方向は、図６に示すように、縦方向とすることもできる。
【００３２】
また、図７に示すように、デジタルカメラ６０で、第１ディスプレイ５４に替えて電子ペーパーディスプレイ６４を使用することもできる。電子ペーパーディスプレイ６４は、第１ディスプレイ３０Ａと同様に各種の画像データに基づいて画像の表示が可能とされている。電子ペーパーディスプレイ６４は、デジタルカメラ本体６２の内部に備えられた巻棒６６に巻き取られることにより収納位置Ｓ５に収納され、巻棒６６から巻き出されることにより使用位置Ｓ６にセットされる。
【００３３】
このように、電子ペーパーディスプレイ６４を使用することにより、巻棒６６に巻き取って収納することができるので、第１ディスプレイ５４よりもコンパクトに収納することができる。
【００３４】
また、上記では、画像表示を行うディスプレイを２個設けた例について説明したが、ディスプレイを３個以上設けてもよい。図８に、ディスプレイを３個設けた例を示す。このように、ディスプレイを３個設けることにより、合成画像、及び、合成画像の元になる２つの原画像を各々のディスプレイに別々に表示することができる。
【００３５】
【発明の効果】
以上説明したように、本発明の携帯用画像合成装置によれば、第１ディスプレイに原画像が表示され、第２ディスプレイに合成画像が表示されるので、１つのディスプレイを分割して表示する場合と比較して、表示される画像は大きくなり、原画像及び合成画像を見やすい表示とすることができる。
【図面の簡単な説明】
【図１】本実施形態のデジタルカメラの斜視図である。
【図２】本実施形態のデジタルカメラの第ディスプレイが収納位置に収納された状態の斜視図である。
【図３】本実施形態のデジタルカメラの制御系の概略ブロック図である。
【図４】本実施形態の画像合成処理のフローチャートである。
【図５】本実施形態のデジタルカメラの変形例を示す斜視図である。
【図６】図５に示すデジタルカメラの変形例を示す斜視図である。
【図７】本実施形態のデジタルカメラの他の変形例を示す斜視図である。
【図８】本実施形態のデジタルカメラの他の変形例を示す斜視図である。
【符号の説明】
１０、５０、６０    デジタルカメラ
１２、５２、６２    デジタルカメラ本体
２２    第２ディスプレイ
３０Ａ、５４Ａ  第１ディスプレイ
４０  ＣＰＵ（画像作成手段）
６０    デジタルカメラ
６４    電子ペーパーディスプレイ（第１ディスプレイ）
Ｓ１、Ｓ３、Ｓ５    収納位置
Ｓ２、Ｓ４、Ｓ６    使用位置（表示面積拡大位置）
【図１】
2005012459.tif 000003
【図２】
2005012459.tif 000004
【図３】
2005012459.tif 000005
【図４】
2005012459.tif 000006
【図５】
2005012459.tif 000007
【図６】
2005012459.tif 000008
【図７】
2005012459.tif 000009
【図８】
2005012459.tif 000010